(57)【特許請求の範囲】
【請求項１】
内容物が収容される容器本体の口部に装着される有頂筒状のキャップ本体と、
前記キャップ本体に回転自在に嵌合されるとともに、内容物の注出孔が形成された注出体と、
前記キャップ本体にヒンジ部を介して連結され、前記注出孔を開閉する有頂筒状のオーバーキャップと、を備えた注出キャップであって、
前記キャップ本体には、前記口部内に配置されるとともに、前記容器本体内に連通する連通孔を通して前記容器本体内の内容物を貯留する貯留体が配設され、
前記キャップ本体の周壁部には、
前記貯留体内に連通する第１孔と、
前記第１孔に対してキャップ軸回りに沿う周方向の離れた位置に形成され、前記貯留体内に連通するとともに、注出される内容物の態様が前記第１孔と異なる第２孔と、が形成され、
前記注出体は、
前記注出孔が前記第１孔に連通する第１位置と、
前記注出孔が前記第２孔に連通する第２位置と、
前記注出孔が前記周壁部に閉塞される閉塞位置と、の間をキャップ軸回りに前記キャップ本体に回転自在に嵌合され、
前記注出体には、キャップ軸に直交する径方向の外側に向けて突出し、その先端に前記注出孔が形成された注出筒が形成され、
前記オーバーキャップには、前記注出体が前記第１位置及び前記第２位置に位置するとき、前記オーバーキャップの回動軌跡上で前記注出筒における径方向の外側端部と重なり、前記注出筒に干渉して前記オーバーキャップの閉動作を規制し、前記注出体が前記閉塞位置に位置するとき、前記オーバーキャップの回動軌跡上で前記注出筒における径方向の外側端部と重ならず、前記オーバーキャップの閉動作を許容する規制部が配設されていることを特徴とする注出キャップ。
【請求項２】
前記貯留体内には、前記容器本体内の内容物及び空気が供給される気液混合室が画成され、
前記第１孔は、前記気液混合室を通して前記貯留体内に連通する霧吹孔であることを特徴とする請求項１記載の注出キャップ。
【発明の詳細な説明】
【技術分野】
【０００１】
本発明は、注出態様が切替可能な注出キャップに関する。
【背景技術】
【０００２】
従来から、注出態様が切替可能な注出キャップとして、内容物が収容される容器本体の口部に装着されるキャップ本体と、キャップ本体に回転自在に嵌合されるとともに、内容物の注出孔が形成された注出体と、を備えた構成が知られている。この種の注出キャップにおいて、キャップ本体には泡噴出口及び液噴出口がキャップ軸回りの周方向に間隔をあけて形成され、注出体には泡噴出口及び液噴出口に選択的に連通する泡液兼用ノズルが形成されている（例えば、下記特許文献１参照）。
【０００３】
この構成によれば、泡噴出モードでは、泡噴出口と泡液兼用ノズル内とが連通する位置に注出体を回転させた後、注出操作を行うことで泡状の内容物を注出する。なお、下記特許文献１において、泡噴出口には、容器本体の底部に近接する位置まで延設された吸上パイプを通して内容物が供給される。一方、液噴出モードでは、液噴出口と泡液兼用ノズル内とが連通する位置に注出体を回転させた後、注出操作を行うことで液状の内容物を注出する。これにより、注出態様が切り替えられる。
【先行技術文献】
【特許文献】
【０００４】
【特許文献１】実公平７−２５３２６号公報
【発明の概要】
【発明が解決しようとする課題】
【０００５】
ところで、上述した特許文献１の構成にあっては、内容物の残量に関わらず内容物を泡噴出口に供給するために、吸上パイプを比較的長くする必要がある。
しかしながら、吸上パイプを長くすると、容器本体の口部に注出キャップを装着する際、吸上パイプを口部内に進入させるのが難しいという課題があった。
【０００６】
そこで、本発明は、上述した事情に鑑みてなされたものであって、その目的は、容器本体への組付性を向上させることができる注出態様が切替可能な注出キャップを提供することである。
【課題を解決するための手段】
【０００７】
上記課題を解決するために、本発明は以下の手段を提案している。
本発明に係る注出キャップは、内容物が収容される容器本体の口部に装着される有頂筒状のキャップ本体と、前記キャップ本体に回転自在に嵌合されるとともに、内容物の注出孔が形成された注出体と、前記キャップ本体にヒンジ部を介して連結され、前記注出孔を開閉する有頂筒状のオーバーキャップと、を備えた注出キャップであって、前記キャップ本体には、前記口部内に配置されるとともに、前記容器本体内に連通する連通孔を通して前記容器本体内の内容物を貯留する貯留体が配設され、前記キャップ本体の周壁部には、前記貯留体内に連通する第１孔と、前記第１孔に対してキャップ軸回りに沿う周方向の離れた位置に形成され、前記貯留体内に連通するとともに、注出される内容物の態様が前記第１孔と異なる第２孔と、が形成され、前記注出体は、前記注出孔が前記第１孔に連通する第１位置と、前記注出孔が前記第２孔に連通する第２位置と、前記注出孔が前記周壁部に閉塞される閉塞位置と、の間をキャップ軸回りに前記キャップ本体に回転自在に嵌合され、前記注出体には、キャップ軸に直交する径方向の外側に向けて突出し、その先端に前記注出孔が形成された注出筒が形成され、前記オーバーキャップには、前記注出体が前記第１位置及び前記第２位置に位置するとき、前記オーバーキャップの回動軌跡上で前記注出筒における径方向の外側端部と重なり、前記注出筒に干渉して前記オーバーキャップの閉動作を規制し、前記注出体が前記閉塞位置に位置するとき、前記オーバーキャップの回動軌跡上で前記注出筒における径方向の外側端部と重ならず、前記オーバーキャップの閉動作を許容する規制部が配設されていることを特徴とする。
【０００８】
このような特徴により、容器本体内の内容物を貯留する貯留体がキャップ本体に配設されているため、容器本体内の内容物を貯留体内に一旦貯留した後、注出操作を行うことができる。そのため、貯留体内に貯留された内容物を定量注出することができ、意図せず多量の内容物が注出されるのを抑制できる。
しかも、容器本体内の内容物を直接吸い上げる吸上パイプを設ける場合に比べ、注出キャップのうち、容器本体内に進入する部分（貯留体）のキャップ軸方向における長さ（進入量）を短くすることができる。これにより、注出キャップを容器本体内に装着する際、貯留体を口部内に簡単に進入させることができ、組付性を向上させることができる。
【０００９】
また、本発明に係る注出キャップにおいて、前記貯留体内には、前記容器本体内の内容物及び空気が供給される気液混合室が画成され、前記第１孔は、前記気液混合室を通して前記貯留体内に連通する霧吹孔であってもよい。
この場合には、注出孔から霧状の内容物が注出されるので、内容物を少ない量でムラなく供給することができる。
【発明の効果】
【００１０】
本発明に係る注出キャップによれば、容器本体への組付性を向上させることができる。
【図面の簡単な説明】
【００１１】
【図１】実施形態に係る注出容器において、オーバーキャップが閉位置にある状態を示す断面図である。
【図２】閉塞モードを示す図４のＡ−Ａ線に相当する断面図である。
【図３】図１のＢ−Ｂ線に相当する断面図である。
【図４】実施形態に係る注出容器において、オーバーキャップが開位置（霧吹モード）にある状態を示す断面図である。
【図５】霧吹モードを示す図４のＡ−Ａ線に相当する断面図である。
【図６】図４のＣ−Ｃ線に相当する断面図である。
【図７】滴下モードを示す図４のＡ−Ａ線に相当する断面図である。
【図８】霧吹きモードを説明するための説明図であって、図４に相当する断面図である。
【図９】滴下モードを説明するための説明図であって、注出容器の部分断面図である。
【発明を実施するための形態】
【００１２】
以下、図面を参照し、本発明の実施形態を説明する。なお、本実施形態では、本発明に係る注出キャップを注出容器に適用した場合について説明する。
図１、図２に示すように、本実施形態の注出容器１は、有底筒状の容器本体２と、容器本体２の口部２ａに装着された注出キャップ３と、を備えている。なお、容器本体２、及び注出キャップ３は、それぞれの中心軸が共通軸上に位置している。以下、この共通軸をキャップ軸Ｏといい、キャップ軸Ｏに沿う容器本体２側を単に下側、注出キャップ３側を単に上側という。さらに、キャップ軸Ｏ方向から見た平面視においてキャップ軸Ｏに直交する方向を径方向といい、キャップ軸Ｏ回りに周回する方向を周方向という。
【００１３】
容器本体２は、内容物が収容されるとともに、少なくとも胴部２ｂがスクイズ変形可能に構成されている。
【００１４】
注出キャップ３は、内容物を霧状に注出する霧吹モード（図４，５，８参照）と、内容物をまとまった状態で注出する滴下モード（図７，９参照）と、に内容物の注出態様を切替可能になっている。具体的に、注出キャップ３は、容器本体２の口部２ａに装着される有頂筒状のキャップ本体１１と、キャップ本体１１に回転自在に嵌合されるとともに、内容物の注出孔１２が形成された注出体１３と、キャップ本体１１にヒンジ部１４を介して連結され、注出孔１２を開閉する有頂筒状のオーバーキャップ１５と、を備えている。
【００１５】
キャップ本体１１は、口部２ａに装着される下周壁部２１と、下周壁部２１の上端縁から径方向の内側に向けて突設された環状部２２と、環状部２２の内周縁からキャップ軸Ｏ方向の上方に突設された上周壁部２３と、上周壁部２３の上端開口を閉塞する頂壁部２４と、を備えている。
下周壁部２１の上端部において、周方向の一部（ヒンジ部１４とキャップ軸Ｏを挟んで径方向で対向する部分）には、径方向の内側に向けて窪む凹部２５が形成されている。この凹部２５は、キャップ軸Ｏ方向から見た平面視で円弧状を呈し、上方及び径方向の外側に向けて開放されている。また、凹部２５の内面には、径方向の外側に向けて突出する係合突起２６が周方向に沿って延設されている。なお、下周壁部２１は、図示されるようにアンダーカット嵌合により口部２ａに装着されていても、螺着によって口部２ａに装着されていても構わない。また、キャップ本体１１は、口部２ａに対して回転不能に装着されている。
【００１６】
環状部２２は、口部２ａの上端縁上に当接するとともに、その外周縁が口部２ａよりも外側に位置し、内周縁が口部２ａよりも内側に位置している。なお、環状部２２上には、上述した霧吹モード、及び滴下モードの他、保管時等の閉塞モードを示す表示部２８ａ〜２８ｃ（図２参照）が周方向にこの順で間隔をあけて配されている。具体的には、霧吹モードを示す表示部２８ａと閉塞モードを示す表示部２８ｃとが周方向で９０°離れて設けられ、これらの中間に滴下モードを示す表示部２８ｂが設けられている。また、環状部２２の内周部分には、口部２ａ内に嵌合されるシール筒２９が下方に向けて突設されている。
【００１７】
上周壁部２３には、径方向の外側に向けて突出する係合突部３１が上周壁部２３の全周に亘って形成されている。
上周壁部２３のうち、係合突部３１よりも上方に位置する部分には、上周壁部２３を径方向に貫通する霧吹孔（第１孔）３２及び滴下孔（第２孔）３３が周方向に間隔をあけて１つずつ形成されている。
【００１８】
図２に示すように、霧吹孔３２は、上周壁部２３において、上述した霧吹モードの表示部２８ａと周方向で同等の位置に形成され、後述する気液混合室Ｒ内に連通している。図示の例において、霧吹孔３２は、上周壁部２３においてヒンジ部１４とキャップ軸Ｏを挟んで径方向で対向する部分に形成されている。
滴下孔３３は、上周壁部２３において、滴下モードの表示部２８ｂと周方向で同等の位置に形成され、後述する貯留体８１内に連通している。なお、滴下孔３３の内径は、霧吹孔３２よりも大径とされている。
【００１９】
上周壁部２３の上端部には、径方向の内側に向けて窪むガイド溝３５が周方向に沿って延設されている。具体的に、ガイド溝３５は、上述した霧吹孔３２と径方向で対向する部分から周方向の一方側に向けて延びている。ガイド溝３５は、キャップ軸Ｏ方向から見た平面視で円弧状を呈し、径方向の外側及び上方に向けて開放されている。また、ガイド溝３５の内面のうち、径方向の外側を向く側面部には、注出体１３を閉塞モードに位置決めする第１位置決め突起４０、注出体１３を滴下モードに位置決めする一対の第２位置決め突起４１、及び注出体１３を霧吹モードに位置決めする第３位置決め突起４２が形成されている。これら、第１〜第３位置決め突起４０，４１，４２は、後述する係止突起５６が乗り越え可能な突出量で形成されている。
【００２０】
第１位置決め突起４０は、ガイド溝３５の側面部における周方向の一方側端部に、径方向の外側に向けて突設されている。一対の第２位置決め突起４１は、ガイド溝３５の側面部における周方向の中間部分に、径方向の外側に向けて突設されるとともに、周方向に間隔をあけて配設されている。第３位置決め突起４２は、ガイド溝３５の側面部における周方向の他方側端部に、径方向の外側に向けて突設されている。
【００２１】
図１、図２に示すように、上周壁部２３の内面において、上述した霧吹孔３２と周方向で同等に位置する部分には、内部が霧吹孔３２に連通する嵌合筒４３が上周壁部２３に一体で連設されている。嵌合筒４３は、キャップ軸Ｏに対して偏心した位置に配設され、キャップ軸Ｏと平行に延在している。嵌合筒４３は、上端縁が頂壁部２４に連設され、下端縁が上周壁部２３の下端縁よりも下方に突出している。嵌合筒４３は、周方向の一部が上周壁部２３の内周面に連設され、上周壁部２３の内周面における霧吹孔３２の開口周縁部を径方向の内側から取り囲んでいる。
嵌合筒４３のうち、霧吹孔３２と径方向で対向する部分には、嵌合筒４３を径方向に貫通するスリット４４が形成されている。このスリット４４は、嵌合筒４３内と容器本体２内とを連通する空気流通口として機能するものであって、嵌合筒４３におけるキャップ軸Ｏ方向の全域に亘って形成されている。
【００２２】
嵌合筒４３の内周面のうち、霧吹孔３２とスリット４４との間に位置する部分には、嵌合筒４３の内側に向けて突出する回り止め部４５がキャップ軸Ｏ方向に延設されている。図示の例において、回り止め部４５は、嵌合筒４３のうち、キャップ軸Ｏ方向の全域に亘って形成されている。
【００２３】
ここで、図１、図３に示すように、キャップ本体１１には、容器本体２内と霧吹孔３２及び滴下孔３３との間で容器本体２内の内容物を貯留する有底筒状の貯留体８１が配設されている。貯留体８１は、キャップ本体１１に装着される外筒８２と、外筒８２の内側に位置し、嵌合筒４３内に嵌合される内筒８３と、外筒８２及び内筒８３の下端開口をまとめて閉塞する底壁部８４と、を備えている。なお、図３においては、貯留体８１よりも径方向の外側に位置する部材（キャップ本体１１の下周壁部２１や口部２ａ等）の図示を省略している。
外筒８２は、下方に位置するものほど径が小さい多段筒状に形成されている。具体的に、外筒８２は、上筒部８５及び下筒部８６と、これら上筒部８５及び下筒部８６間を接続する接続部８７と、を備えている。
【００２４】
上筒部８５は、キャップ軸Ｏと同軸上に配置されるとともに、その上部がキャップ本体１１のうち、シール筒２９と上周壁部２３を下方に延長した周壁２３ａ（嵌合筒４３を一部として含む）との間に径方向に挟持されている。
下筒部８６は、キャップ軸Ｏに対して径方向の一方側に偏心した位置に配設され、嵌合筒４３の下部を囲繞している。具体的に、下筒部８６は、周方向の一部（径方向の一方側に位置する部分）が上筒部８５に共通し、共通部分以外の部分が上筒部８５に対して径方向の内側に位置している。なお、下筒部８６の下端開口縁は、嵌合筒４３の下端開口縁よりも下方に位置している。
【００２５】
接続部８７は、上筒部８５及び下筒部８６のうちキャップ軸Ｏに対して径方向の他方側に位置する部分において、上筒部８５の下端開口縁と下筒部８６の上端開口縁を連結するブリッジ状とされている。図示の例において、接続部８７は、上筒部８５の下端開口縁から下筒部８６の上端開口縁（径方向の他方側から一方側）に向かうに従い下方に向けて傾斜して延在している。また、接続部８７に対して周方向の両側に位置する部分は、容器本体２内と貯留体８１内とを連通させる連通孔８８を構成している。なお、連通孔８８の大きさ、数、位置等は、適宜設計変更が可能である。
【００２６】
図１に示すように、底壁部８４は、キャップ軸Ｏ方向に沿う縦断面視において、径方向に沿って延びる直線状とされ、その外周縁が下筒部８６の下端開口縁に連設されている。底壁部８４は、注出キャップ３全体の最下端部分を構成している。具体的に、キャップ軸Ｏ方向において、底壁部８４の下面は、容器本体２における口部２ａの下端開口と同等の位置に配置されている。したがって、貯留体８１は、容器本体２の口部２ａ内に収容され、胴部２ｂ内には突出していない。特に、貯留体８１は、注出容器１において、液面よりも上方に配置されることが好ましい。
【００２７】
図１〜図３に示すように、内筒８３は、上述した嵌合筒４３と同軸上に配置されるとともに、その下端開口縁が底壁部８４に連設されている。内筒８３のうち、嵌合筒４３の上述した回り止め部４５と周方向で同等に位置する部分には、回り止め部４５が係合される係合孔９１が形成されている。この係合孔９１は、内筒８３をその径方向に貫通するとともに、キャップ軸Ｏ方向における内筒８３の全域に亘って形成されたスリット状とされている。係合孔９１は、嵌合筒４３よりも下方に位置する部分において、内筒８３の内外を連通している。
【００２８】
また、内筒８３は、その上端縁が上述した上筒部８５の上端縁よりも上方であって、霧吹孔３２よりも下方に位置している。そして、上述した嵌合筒４３内において、内筒８３の上端縁と頂壁部２４とにより画成された空間は、内筒８３を通じて嵌合筒４３内に供給される内容物と、スリット４４を通して嵌合筒４３内に供給される空気と、を合流させる気液混合室Ｒとして機能する。
【００２９】
図１、図２に示すように、注出体１３は、上周壁部２３に外嵌された有頂筒状のカバー体５１と、カバー体５１における筒部５２の下端部から径方向の外側に向けて突設されたフランジ部５３と、を備えている。
カバー体５１は、キャップ軸Ｏと同軸上に配置されるとともに、キャップ軸Ｏ回りに回転可能とされている。カバー体５１のうち、筒部５２の下部内周面には、径方向の外側に向けて窪む係合凹部５８が筒部５２の全周に亘って形成されている。この係合凹部５８は、上述した上周壁部２３の係合突部３１にアンダーカット嵌合され、キャップ本体１１に対する注出体１３の上方移動を規制している。
【００３０】
筒部５２において、上述した霧吹孔３２及び滴下孔３３とキャップ軸Ｏ方向で同等に位置する部分には、径方向の外側に向けて突出するとともに、その外側開口部が注出孔１２とされた注出筒５４が配設されている。この注出筒５４は、内側がカバー体５１内に連通するとともに、径方向の外側に向かうに従い内径が漸次拡大している。注出筒５４は、キャップ本体１１に対する注出体１３の回転位置に応じて、霧吹孔３２に連通する霧吹位置（第１位置）、滴下孔３３に連通する滴下位置（第２位置）、並びに霧吹孔３２及び滴下孔３３の何れにも連通しない閉塞位置に切り替えられる。なお、閉塞位置において、注出筒５４は、径方向の内側開口部がキャップ本体１１の上周壁部２３により閉塞され、注出筒５４を通した容器本体２内外の連通が遮断される。図示の例において、注出筒５４における内側開口部の内径は、滴下孔３３の内径と同等とされている。また、注出筒５４における径方向の外側端部には、注出筒５４の径方向の外側に向けて張り出す張出部５５が形成されている。
【００３１】
筒部５２の上端部には、上述したガイド溝３５内に収容される係止突起５６が径方向の内側に向けて突設されている。係止突起５６は、注出体１３の回転に伴い、ガイド溝３５内を周方向に移動可能とされ、上述した各位置決め突起４０，４１，４２に係止可能とされている。具体的に、係止突起５６は、注出体１３が滴下位置にあるとき、一対の第２位置決め突起４１間に係止され、注出体１３が閉塞位置にあるとき、第１位置決め突起４０とガイド溝３５における周方向の一方側端面との間に係止され、注出体１３が霧吹位置にあるとき、第３位置決め突起４２とガイド溝３５における周方向の他方側端面との間に係止される。
【００３２】
フランジ部５３は、キャップ本体１１の環状部２２上に配置され、上述した各表示部２８ａ〜２８ｃを上方から覆っている。フランジ部５３のうち、上述した注出筒５４と周方向で同等に位置する部分には、フランジ部５３をキャップ軸Ｏ方向に貫通する窓部５７が形成されている。この窓部５７は、上述した各表示部２８ａ〜２８ｃと径方向で同等の位置に形成され、注出体１３の回転位置に応じて各モードの表示部２８ａ〜２８ｃを露出させる。なお、図示の例において、窓部５７は、径方向の外側に向けて開放されている。
【００３３】
オーバーキャップ１５は、周壁部６１及び天壁部６２を備え、周壁部６１の下端縁における周方向の一部でヒンジ部１４を介してキャップ本体１１の下周壁部２１に回動可能に連結されている。これにより、オーバーキャップ１５は、ヒンジ部１４回りに注出孔１２を開閉可能に構成されている。
【００３４】
周壁部６１は、内径が上述した注出体１３のフランジ部５３の外径よりも大きい筒状とされている。周壁部６１の下端縁において、周方向の一部（ヒンジ部１４とキャップ軸Ｏを挟んで径方向で対向する部分）には、下方に向けて延びる突片部６３が形成されている。この突片部６３は、オーバーキャップ１５の閉位置において、上述したキャップ本体１１の凹部２５内に収容可能な大きさに形成されている。突片部６３には、径方向の内側に向けて突出するとともに、閉位置において、キャップ本体１１の係合突起２６に下方から係合する係合部６４が周方向に沿って延設されている。
【００３５】
図１、図２、図６に示すように、周壁部６１におけるキャップ軸Ｏ方向の中間部には、径方向の内側に向けて膨出する規制部６５が形成されている。規制部６５は、キャップ軸Ｏに直交する横断面視で直線状を呈し、その内面が上述した注出筒５４における径方向の外側端縁よりも径方向の内側に位置している。一方、周壁部６１の内面のうち、規制部６５以外の部分は、注出筒５４における径方向の外側端縁よりも径方向の外側に位置している。また、図示の例において、規制部６５の下部内面は、キャップ軸Ｏ方向に沿う縦断面視において、下方に向かうに従い径方向の外側に向けて延びるテーパ面とされている。
【００３６】
規制部６５は、周壁部６１のうちヒンジ部１４とキャップ軸Ｏを挟んで径方向で対向する部分から周方向の両側に向けて延設されている。具体的に、規制部６５は、注出筒５４が上述した霧吹位置、及び滴下位置にあるとき、オーバーキャップ１５の回動軌跡上で注出筒５４における径方向の外側端部と重なり、注出筒５４が閉塞位置にあるとき、オーバーキャップ１５の回動軌跡上で注出筒５４における径方向の外側端部と重ならない範囲で周方向に延設されている。この場合、規制部６５は、注出筒５４が上述した霧吹位置から滴下位置という周方向の一定範囲内にあるとき、オーバーキャップ１５の閉動作に伴い注出筒５４に上方から干渉（当接）し、オーバーキャップ１５の閉動作を規制する。一方、規制部６５は、注出筒５４が閉塞位置である、周方向の前記一定範囲外にあるとき、オーバーキャップ１５の閉動作時に注出筒５４と干渉しないようになっており、オーバーキャップ１５の閉動作を許容する。なお、規制部６５は、オーバーキャップ１５が閉位置にあるとき、注出筒５４に周方向で対向し、注出体１３の滴下位置や霧吹位置への回転を規制してもよい。
【００３７】
次に、上述した注出容器１の作用を説明する。以下の説明では、オーバーキャップ１５が閉位置で、かつ注出体１３（注出筒５４）が閉塞位置にある状態を初期状態とする。
まず、滴下モードについて説明する。
図７、図９に示すように、滴下モードでは、オーバーキャップ１５を開位置とするとともに、注出体１３を滴下位置とする。具体的には、初期状態の容器本体２を把持し、オーバーキャップ１５をヒンジ部１４回りに回動させる。これにより、オーバーキャップ１５が開位置となり、注出孔１２が開放される。
続いて、キャップ本体１１に対して注出体１３を周方向の他方側に向けて回転させる。すると、係止突起５６が第１位置決め突起４０を乗り越え、キャップ本体１１に対する注出体１３のキャップ軸Ｏ回りの回転が許容される。その後、係止突起５６が一対の第２位置決め突起４１間に係止されるまで、注出体１３を回転させる。これにより、注出筒５４が滴下孔３３に連通する滴下位置となる。
【００３８】
そして、滴下孔３３が下向きとなる注出姿勢に注出容器１を傾けた状態とする。すると、容器本体２内の内容物は、連通孔８８を通して貯留体８１内に流入した後、滴下孔３３を通して注出筒５４内に流入する。その後、注出筒５４内に流入した内容物は、注出孔１２を通して外部に注出される。このように、滴下モードでは、内容物は気液混合室Ｒを通らず、滴下孔３３を通して直接注出筒５４内に流入する。そのため、注出孔１２からは主に内容物がまとまった状態で流出する。なお、この注出操作において、容器本体２をスクイズ変形させ、容器本体２を減容させることで容器本体２内に生じる正圧により、内容物を注出してもよい。
【００３９】
次に、霧吹モードについて説明する。
図４、図５、図８に示すように、霧吹きモードでは、上述した滴下モードと同様にオーバーキャップ１５を開位置とした後、注出体１３を霧吹位置とする。このとき、注出体１３の係止突起５６が、第１位置決め突起４０、第２位置決め突起４１及び第３位置決め突起４２を乗り越え、ガイド溝３５における周方向の他方側端面に近接または当接する位置まで、注出体１３を周方向の他方側に向けて回転させる。すると、注出筒５４が霧吹孔３２に連通する霧吹位置となる。
【００４０】
そして、注出容器１を一旦傾け、連通孔８８を通して容器本体２内の内容物を貯留体８１内に流入させる。これにより、貯留体８１内（本実施形態では、下筒部８６、底壁部８４、及び内筒８３で画成された貯留空間）に容器本体２内の内容物が貯留される。その後、注出容器１を目標に向けて注出姿勢にした状態で、容器本体２をスクイズ変形させると、貯留体８１内の内容物が係合孔９１を通して内筒８３内に流入するとともに、貯留体８１内の空気がスリット４４を通して気液混合室Ｒ内に流入する。その後、内筒８３内に流入した内容物は、気液混合室Ｒ内で空気と混合された後に霧吹孔３２を通過することで、霧状となって注出筒５４内に流入する。これにより、霧状の内容物が注出孔１２から外部に注出される。このように、霧状の内容物を注出することで、内容物を少ない量でムラなく供給することができる。
【００４１】
次に、上述した滴下モードや霧吹モードから初期状態に戻す場合について説明する。
まず、図１、図２に示すように、滴下位置または霧吹位置にある注出体１３を周方向の一方側に向けて回転させ、注出筒５４を閉塞位置とする。このとき、注出体１３の係止突起５６が第１位置決め突起４０を乗り越える位置まで、注出体１３を回転させる。これにより、注出筒５４がキャップ本体１１の上周壁部２３により閉塞された閉塞位置となる。
【００４２】
続いて、オーバーキャップ１５を閉位置に向けて回動させる。すると、オーバーキャップ１５の突片部６３がキャップ本体１１の凹部２５内に収容されるとともに、突片部６３の係合部６４が凹部２５内の係合突起２６に係合する。これにより、上述した初期状態に復帰する。
【００４３】
なお、初期状態において、注出体１３は、係止突起５６及び第１位置決め突起４０が周方向で係止されることで、閉塞位置で位置決めされるため、キャップ本体１１に対するキャップ軸Ｏ回りの回転が規制されている。また、初期状態において、注出筒５４は規制部６５に周方向で対向するため、これによってキャップ本体１１に対する注出体１３のキャップ軸Ｏ回りの回転が規制される。
これにより、保管時において、注出体１３がキャップ本体１１に対して予期せず回転するのを抑制でき、注出筒５４が霧吹孔３２及び滴下孔３３の何れかと連通して、容器本体２内の内容物が漏れ出るのを抑制できる。
【００４４】
また、注出筒５４が滴下位置や霧吹位置にある状態で、オーバーキャップ１５を閉位置に向けて回動させると、図４に示すように、規制部６５の内面が注出筒５４における径方向の外側端部に上方から当接（干渉）する。これにより、オーバーキャップ１５のそれ以上の閉動作が規制され、オーバーキャップ１５が閉位置にならないようになっている。
【００４５】
ここで、本実施形態の注出キャップ３を容器本体２に装着する際には、まず注出キャップ３の貯留体８１と、容器本体２の口部２ａと、をキャップ軸Ｏ方向で対向させた状態で、注出キャップ３と容器本体２とをキャップ軸Ｏ方向で相対的に接近移動させる。すると、貯留体８１が口部２ａ内に進入するとともに、キャップ本体１１の下周壁部２１が口部２ａに外挿される。そして、キャップ本体１１と容器本体２とをキャップ軸Ｏ方向でさらに接近移動させることで、キャップ本体１１の下周壁部２１が口部２ａにアンダーカット嵌合され、注出キャップ３が容器本体２に装着される。
【００４６】
このように、本実施形態では、容器本体２内の内容物を貯留する貯留体８１がキャップ本体１１に配設されているため、容器本体２内の内容物を貯留体８１内に一旦貯留した後、注出操作を行うことができる。そのため、貯留体８１内に貯留された内容物を定量注出することができ、意図せず多量の内容物が注出されるのを抑制できる。
しかも、容器本体２内の内容物を直接吸い上げる吸上パイプを設ける場合に比べ、注出キャップ３のうち、容器本体２内に進入する部分（貯留体８１）のキャップ軸Ｏ方向における長さ（進入量）を短くすることができる。これにより、注出キャップ３を容器本体２内に装着する際、貯留体８１を口部２ａ内に簡単に進入させることができ、組付性を向上させることができる。
また、上述したように注出キャップ３を容器本体２内に装着する際の貯留体８１の進入量を短くすることができるので、容器本体２内に貯留体８１を進入させる際、内容物中に浸漬する部分が生じるのを抑えることができる。これにより、注出キャップ３の装着時において、容器本体２内の内容物が溢れ出るのを抑制できる。
【００４７】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、霧吹位置、滴下位置、及び閉塞位置の順に注出体１３が回転する構成について説明したが、これらの順番は適宜設計変更が可能である。
さらに、上述した実施形態では、キャップ軸Ｏ方向から見た平面視において、キャップ軸Ｏ及び霧吹孔３２を通る対称軸に対して一方側が滴下位置及び閉塞位置になる構成について説明したが、これに限らず、対称軸に対して他方側が滴下位置及び閉塞位置になる構成であっても構わず、一方側と他方側の両方に滴下位置及び閉塞位置になる構成を設けても構わない。
また、上述した実施形態では、貯留体８１に一体で形成された内筒８３が嵌合筒４３に嵌合された構成について説明したが、これに限らず、貯留体８１内に貯留された内容物を霧吹孔３２に導く構成であれば適宜設計変更が可能である。この場合、例えば貯留体８１の底壁部８４に近接する位置まで延びる比較的短い吸上パイプを嵌合筒４３内に嵌合しても構わない。
【００４８】
また、上述した実施形態では、霧吹モード及び滴下モードに吐出態様を切替可能な構成について説明したが、上述した注出態様以外の注出態様に変更したり、注出態様を追加したりしても構わない。なお、注出態様としては、霧状の他に泡状や線状等の種々の態様を採用することができる。また、孔径を変更する等して、各孔を通して注出される内容物の流量を異ならせることで態様を変化させても構わない。
また、閉塞位置は、注出孔１２が上周壁部２３に閉塞される場所であれば、任意に設定することができる。
【００４９】
さらに、規制部６５の形状は適宜設計変更が可能であり、例えば周壁部６１から径方向の内側に向けて突設された突起等であっても構わない。
また、上述した実施形態では、注出体１３がキャップ軸Ｏ回りに回動する範囲を制限しているが、全周に亘って回転自在としてもよい。
さらに、上述した実施形態では、注出筒５４の先端を注出孔１２とする構成について説明したが、これに限らず、注出体１３に直接注出孔１２が形成されていても構わない。
【００５０】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００５１】
１…注出容器
２…容器本体
２ａ…口部
３…注出キャップ
１１…キャップ本体
１２…注出孔
１３…注出体
２３…上周壁部（周壁部）
３２…霧吹孔（第１孔）
３３…滴下孔（第２孔）
８１…貯留体
８８…連通孔
【図１】
0006360785.tif 000002
【図２】
0006360785.tif 000003
【図３】
0006360785.tif 000004
【図４】
0006360785.tif 000005
【図５】
0006360785.tif 000006
【図６】
0006360785.tif 000007
【図７】
0006360785.tif 000008
【図８】
0006360785.tif 000009
【図９】
0006360785.tif 000010